(57)【要約】【課題】  ユーザが機能選択画面で原稿を置いても、原稿の厚さを確実に設定させることができ、設定された厚さに基づいて原稿の読取を実行する。【解決手段】  コピー機能とデータ送信機能を選択する機能選択画面の表示中に、原稿が載置されたことを検知したことに従ってオブジェクトを表示し、オブジェクトを介してユーザから受け付けた原稿の厚さを示す情報を記憶部に記憶し、コピー機能が選択された後に表示されるコピー画面で前記コピー機能の実行指示がされた場合に、記憶部に記憶された原稿の厚さに基づいて原稿を搬送する。【選択図】  図８
2020108036.tif 000002
【特許請求の範囲】
【請求項１】
原稿トレイに原稿が載置されたことを検知する検知手段と、
前記検知手段によって前記原稿トレイに前記原稿が載置されたことを検知したことに従って、前記原稿の厚さを設定するオブジェクトを表示する表示手段と、
前記オブジェクトを用いて設定された前記原稿の厚さを示す情報を記憶する記憶手段と、
前記記憶手段によって記憶された前記原稿の厚さを示す情報に基づいて前記原稿を搬送する搬送手段と、
前記搬送手段によって搬送された原稿を読み取る読取手段とを有し、
コピー機能とデータ送信機能を選択する機能選択画面の表示中に、前記原稿が載置されたことを検知したことに従って前記オブジェクトを表示し、前記記憶手段は、前記オブジェクトを介してユーザから受け付けた前記原稿の厚さを示す情報を記憶し、前記搬送手段は、前記コピー機能が選択された後に表示されるコピー画面で前記コピー機能の実行指示がされた場合に、前記記憶手段によって記憶された前記原稿の厚さに基づいて前記原稿を搬送することを特徴とする画像読取装置。
【請求項２】
前記コピー画面の表示中に、前記原稿が載置されたことを検知したことに従って前記オブジェクトを表示し、前記記憶手段は、前記オブジェクトを介してユーザから受け付けた前記原稿の厚さを示す情報を記憶し、前記コピー画面の表示を前記データ送信機能が選択され後に表示されるデータ送信画面で前記データ送信機能の実行指示がされた場合に、前記記憶手段によって記憶された前記原稿の厚さに基づいて前記原稿を搬送することを特徴とする請求項１に記載の画像読取装置。
【請求項３】
原稿トレイに原稿が載置されたことを検知する検知手段と、
前記検知手段によって前記原稿トレイに前記原稿が載置されたことを検知したことに従って、前記原稿の厚さを設定するオブジェクトを表示する表示手段と、
前記オブジェクトを用いて設定された前記原稿の厚さを示す情報を記憶する記憶手段と、
前記記憶手段によって記憶された前記原稿の厚さを示す情報に基づいて前記原稿を搬送する搬送手段と、
前記搬送手段によって搬送された原稿を読み取る読取手段とを有し、
前記表示手段によるログイン画面の表示中に、前記原稿が載置されたことを検知したことに従って前記オブジェクトを表示し、前記記憶手段は、前記オブジェクトを介してユーザから受け付けた前記原稿の厚さを示す情報を記憶し、前記搬送手段は、前記ログイン画面を表示した後であって、ユーザがログインした後に表示されるコピー画面でコピー機能の実行指示がされた場合に、前記記憶手段によって記憶された前記原稿の厚さに基づいて前記原稿を搬送することを特徴とする画像読取装置。
【請求項４】
原稿トレイに原稿が載置されたことを検知する検知手段と、
前記検知手段によって前記原稿トレイに前記原稿が載置されたことを検知したことに従って、前記原稿の厚さを設定するオブジェクトを表示する表示手段と、
前記オブジェクトを介してユーザから受け付けた前記原稿の厚さに基づいて前記原稿を搬送する搬送手段と、
前記搬送手段によって搬送された原稿を読み取る読取手段と、
コピー機能とデータ送信機能を選択する機能選択画面の表示中に、前記検知手段によって前記原稿トレイに前記原稿が載置されたことを検知したことを示す情報を格納する格納手段とを有し、
前記表示手段は、前記機能選択画面の表示中に、前記検知手段によって前記原稿トレイに前記原稿が載置されたことを検知しても前記オブジェクトを表示せずに、前記機能選択画面でコピー機能が選択されたことに従って前記情報に基づいて前記オブジェクトを表示することを特徴とする画像読取装置。
【請求項５】
前記表示手段は、前記コピー機能が選択されたことに従って表示されるコピー画面の表示中に、前記原稿が載置されたことを検知したことに従って前記オブジェクトを表示した後、前記データ送信機能が選択されたことに従って表示されるデータ送信画面で前記データ送信機能の実行指示がされた場合に、前記オブジェクトによって設定された原稿の厚さに基づいて前記原稿を搬送することを特徴とする請求項４に記載の画像読取装置。
【請求項６】
原稿トレイに原稿が載置されたことを検知する検知手段と、
前記検知手段によって前記原稿トレイに前記原稿が載置されたことを検知したことに従って、前記原稿の厚さを設定するオブジェクトを表示する表示手段と、
前記オブジェクトを介してユーザから受け付けた前記原稿の厚さに基づいて前記原稿を搬送する搬送手段と、
前記搬送手段によって搬送された原稿を読み取る読取手段と、
ログイン画面の表示中に、前記検知手段によって前記原稿トレイに前記原稿が載置されたことを検知したことを示す情報を格納する格納手段とを有し、
前記表示手段は、前記ログイン画面の表示中に、前記検知手段によって前記原稿トレイに前記原稿が載置されたことを検知しても前記オブジェクトを表示せずに、前記ログイン画面が表示された後、ユーザがログインしたことに従って前記情報に基づいて前記オブジェクトを表示することを特徴とする画像読取装置。
【請求項７】
前記搬送手段は、前記原稿の搬送速度を制御することを特徴とする請求項１乃至６のいずれか１項に記載の画像読取装置。
【請求項８】
前記読取手段によって読み取った原稿の画像を印刷する印刷手段をさらに有することを特徴とする請求項１乃至７のいずれか１項に記載の画像読取装置。
【請求項９】
前記読取手段によって読み取った原稿の画像を外部装置に送信する送信手段をさらに有することを特徴とする請求項１乃至８のいずれか１項に記載の画像読取装置。
【請求項１０】
原稿トレイに原稿が載置されたことを検知する検知工程と、
前記検知工程で前記原稿トレイに前記原稿が載置されたことを検知したことに従って、前記原稿の厚さを設定するオブジェクトを表示する表示工程と、
前記オブジェクトを用いて設定された前記原稿の厚さを示す情報を記憶する記憶工程と、
前記記憶工程で記憶された前記原稿の厚さを示す情報に基づいて前記原稿を搬送する搬送工程と、
前記搬送工程で搬送された原稿を読み取る読取工程とを有し、
コピー機能とデータ送信機能を選択する機能選択画面の表示中に、前記原稿が載置されたことを検知したことに従って前記オブジェクトを表示し、前記記憶工程では、前記オブジェクトを介してユーザから受け付けた前記原稿の厚さを示す情報を記憶し、前記搬送工程では、前記コピー機能が選択された後に表示されるコピー画面で前記コピー機能の実行指示がされた場合に、前記記憶工程で記憶された前記原稿の厚さに基づいて前記原稿を搬送することを特徴とする画像読取装置の制御方法。
【請求項１１】
前記コピー画面の表示中に、前記原稿が載置されたことを検知したことに従って前記オブジェクトを表示し、前記記憶工程では、前記オブジェクトを介してユーザから受け付けた前記原稿の厚さを示す情報を記憶し、前記コピー画面の表示を前記データ送信機能が選択され後に表示されるデータ送信画面で前記データ送信機能の実行指示がされた場合に、前記記憶工程で記憶された前記原稿の厚さに基づいて前記原稿を搬送することを特徴とする請求項１０に記載の画像読取装置の制御方法。
【請求項１２】
原稿トレイに原稿が載置されたことを検知する検知工程と、
前記検知工程で前記原稿トレイに前記原稿が載置されたことを検知したことに従って、前記原稿の厚さを設定するオブジェクトを表示する表示工程と、
前記オブジェクトを用いて設定された前記原稿の厚さを示す情報を記憶する記憶工程と、
前記記憶工程で記憶された前記原稿の厚さを示す情報に基づいて前記原稿を搬送する搬送工程と、
前記搬送工程で搬送された原稿を読み取る読取工程とを有し、
前記表示工程におけるログイン画面の表示中に、前記原稿が載置されたことを検知したことに従って前記オブジェクトを表示し、前記記憶工程では、前記オブジェクトを介してユーザから受け付けた前記原稿の厚さを示す情報を記憶し、前記搬送工程では、前記ログイン画面を表示した後であって、ユーザがログインした後に表示されるコピー画面でコピー機能の実行指示がされた場合に、前記記憶工程で記憶された前記原稿の厚さに基づいて前記原稿を搬送することを特徴とする画像読取装置の制御方法。
【請求項１３】
請求項１１に記載された画像読取装置の制御方法を、コンピュータ読取可能な記憶媒体。
【請求項１４】
請求項１２に記載された画像読取装置の制御方法を、コンピュータ読取可能な記憶媒体。
【発明の詳細な説明】
【技術分野】
【０００１】
本発明は、原稿の厚さに基づいて原稿の搬送を制御する画像読取装置、画像読取装置の制御方法、及びプログラムに関する。
【背景技術】
【０００２】
自動原稿搬送装置で読み取る原稿が厚紙の場合は、搬送パスの湾曲箇所で搬送ローラの負荷が高くなるためジャムが発生しやすい。また、原稿が薄紙の場合は、原稿自体の重量が軽くなるため排紙部に排紙された原稿が落ち切るまでに時間が掛かり、原稿の後端と後続の原稿の先端がぶつかりジャムや積載不良の原因となっていた。
【０００３】
これに対して従来、原稿の厚さをセンサで検知し、その厚さに従って原稿の搬送速度を変える装置がある（特許文献１参照）。
【先行技術文献】
【特許文献】
【０００４】
【特許文献１】特開平６−２４６０４号公報
【発明の概要】
【発明が解決しようとする課題】
【０００５】
特願２０１８−２０４１３９には、コピー画面の表示中にユーザが原稿を置くことによって、原稿の厚さをユーザに設定させることが記載されている。それによって、センサを用いずとも、原稿の厚さを認識することができる。
【０００６】
しかしながら、ユーザが原稿を置くタイミングは様々であり、必ずしもコピー画面の表示中に原稿を置くとは限らない。
【０００７】
近年の画像読取装置の中には、コピー機能やデータ送信機能を選択するための機能選択画面を画像読取装置の起動時やスタンバイ中に表示するものがある。そのような機能選択画面の表示中に原稿が置かれると、原稿の厚さを設定する画面が表示されず、その後、コピー機能が選択され、コピー画面が表示された後に、ユーザが原稿の厚さを設定することができない。
【０００８】
本発明は、上記の課題を解決するためになされたものであり、ユーザが機能選択画面で原稿を置いても、原稿の厚さを確実に設定させることができ、設定された厚さに基づいて原稿の読取を実行することができる仕組みを提供することを目的とする。
【課題を解決するための手段】
【０００９】
原稿トレイに原稿が載置されたことを検知する検知手段と、前記検知手段によって前記原稿トレイに前記原稿が載置されたことを検知したことに従って、前記原稿の厚さを設定するオブジェクトを表示する表示手段と、前記オブジェクトを用いて設定された前記原稿の厚さを示す情報を記憶する記憶手段と、前記記憶手段によって記憶された前記原稿の厚さを示す情報に基づいて前記原稿を搬送する搬送手段と、前記搬送手段によって搬送された原稿を読み取る読取手段とを有し、コピー機能とデータ送信機能を選択する機能選択画面の表示中に、前記原稿が載置されたことを検知したことに従って前記オブジェクトを表示し、前記記憶手段は、前記オブジェクトを介してユーザから受け付けた前記原稿の厚さを示す情報を記憶し、前記搬送手段は、前記コピー機能が選択された後に表示されるコピー画面で前記コピー機能の実行指示がされた場合に、前記記憶手段によって記憶された前記原稿の厚さに基づいて前記原稿を搬送することを特徴とする。
【発明の効果】
【００１０】
ユーザが機能選択画面で原稿を置いても、原稿の厚さを確実に設定させることができ、設定された厚さに基づいて原稿の読取を実行することができる。
【図面の簡単な説明】
【００１１】
【図１】本実施形態の画像形成装置の外観例を示す図である。
【図２】本実施形態のＡＤＦ１０００、画像読取部２００の構成例を模式的に示す断面図である。
【図３】本実施形態の画像形成装置の構成を示すブロック図である。
【図４】操作部４０５を示す図である。
【図５】ＬＣＤタッチパネル６００に表示するコピー画面の例を示す。
【図６】ＬＣＤタッチパネル６００に表示するログイン画面およびホーム画面の例を示す。
【図７】ＲＡＭ４０６に保存される設定値の構造を示す図である。
【図８】実施例１の紙厚設定引き継ぎを示すフロー図である。
【図９】実施例１のスキャン実行を示すフロー図である。
【図１０】ＬＣＤタッチパネル６００に表示するＦＡＸ画面の例を示す。
【図１１】実施例２の紙厚設定を示すフロー図である。
【発明を実施するための形態】
【００１２】
以下、本発明を実施するための形態について図面を用いて説明する。
【００１３】
（実施例１）
図１は、本実施形態の画像形成装置の外観例を示す図である。
【００１４】
本実施例における画像形成装置は、画像読取部２００と画像形成部５００を含む。
【００１５】
画像読取部２００は、照明ランプの発光によって原稿上の画像を露光走査して得られた反射光をリニアイメージセンサ（ＣＣＤセンサ）に入力することで画像の情報を電気信号に変換する。画像読取部２００はさらに電気信号をＲ、Ｇ、Ｂ各色からなる輝度信号に変換し、当該輝度信号を画像データとして後述するコントローラ４００に出力する。
【００１６】
原稿は、自動原稿給紙部（以下、ＡＤＦ）１０００の原稿設置トレイ３０にセットされる。ユーザが後述する操作部４０５から読み取り処理の実行指示を受け付けると、コントローラ４００は、画像読取部２００に対して原稿読み取り指示を送る。画像読取部２００は、この指示を受けとるとＡＤＦ１０００の原稿設置トレイ３０から原稿を１枚ずつフィードして原稿の読み取り動作を行う。また、ユーザは原稿を後述する原稿台ガラス上に置いて読み取ることもできる。
【００１７】
画像形成部５００は、コントローラ４００から受取った画像データを用紙上に形成する画像形成デバイスである。
【００１８】
本実施例における画像形成方式は、感光体ドラムや感光体ベルトを用いた電子写真方式である。また、画像形成部５００は、給紙ユニット５０４として異なる用紙サイズ又は異なる用紙向きに対応可能な複数のカセットを備える。また、排紙ユニット５０２は印字後の用紙が排出される。フィニッシャユニット５０５は、ユーザによる設定に基づいて用紙にステイプルやパンチ処理等の後処理を行う。
【００１９】
図２は、本実施形態のＡＤＦ１０００、画像読取部２００の構成例を模式的に示す断面図である。
【００２０】
ＡＤＦ１０００の動作について、図２を参照しながら説明する。図２に示すＡＤＦ１０００は、１枚以上の原稿シートで構成される原稿束Ｓを積載する原稿トレイ３０と、原稿の搬送開始前に原稿束Ｓが原稿トレイ３０より突出して下流への進出を規制する分離パッド２１と、給紙ローラ１とを有する。さらに、ＡＤＦ１０００は、原稿トレイ３０上に原稿Ｓが載置されていることを検知する原稿検知センサ２３と、原稿束Ｓの最上面との距離を計測する測距センサ２２、原稿が分離ローラ２を通過したことを検知する分離センサ２４とを有する。原稿検知センサ２３は、挿し込まれた原稿の端によって原稿検知センサ２３が移動されたことに従って原稿が載置されたことを検知する。なお、原稿検知センサ２３は、原稿の下に設けられ、センサが置かれたことを検知するようにしてもよい。給紙ローラ１は、原稿トレイ３０に積載された原稿束Ｓの原稿面に落下し、回転する。これにより、原稿束の最上面の原稿が給紙される。給紙ローラ１によって搬送された原稿は、分離ローラ２と分離パッド２１の作用によって１枚に分離される。この分離は周知のリタード分離技術によって実現されている。このとき、搬送開始から一定時間（ｔ１）経過しても、分離センサ２４で原稿を検知出来ない場合、給紙ローラ１等の駆動は停止する。停止するまでの一定時間（ｔ１）は、搬送速度に従って予想した搬送開始から分離センサ２４までの到達時間と遅延を考慮した十分な時間を加えたものである。
【００２１】
分離ローラ２と分離パッド２１によって分離された原稿は、搬送ローラ３により、レジストローラ４へ搬送され、レジストローラ４に原稿を突き当てられる。これにより、原稿はループ状に形成され、原稿の搬送における斜行が解消される。レジストローラ４の下流側には、レジストローラ４を通過した原稿を流し読みガラス２０１方向へ搬送する給紙パスが配置されている。
【００２２】
給紙パスに送られた原稿は、大ローラ７及び搬送ローラ５によりプラテン上に送られる。ここで、大ローラ７は、流し読みガラス２０１に接触する。大ローラ７により搬送された原稿は、搬送ローラ６を通過し、ローラ１６と移動ガラスの間を移動して、排紙フラッパ及び排紙ローラ８を介して原稿排紙トレイ３１へ排出される。
【００２３】
図２のＡＤＦ１０００は、原稿を反転することで原稿の裏面画像を読み取るタイプであり、ＡＤＦ１０００は、排紙ローラ８に原稿を噛ませた状態で、排紙ローラ８を逆転させて排紙フラッパを切り替えることにより、反転パス１９へ原稿を移動させる。ＡＤＦ１０００は、移動した原稿を反転パス１９からレジストローラ４へ突き当て、再度原稿がループ状に形成されることによって、原稿の搬送における斜行を解消する。その後、ＡＤＦ１０００は、搬送ローラ５及び大ローラ７により、再び原稿を流し読みガラス２０１へ移動させることで、原稿の裏面を流し読みガラス２０１で読み取ることが可能である。
【００２４】
また、原稿トレイ３０には、積載された原稿束の副走査方向にスライド可能なガイド規制板１５が設けられているとともに、このガイド規制板に連動して原稿幅を検出する原稿幅検知センサ（図示せず）が設けられている。上記原稿幅検知センサ２３とレジ前センサ１１との組み合わせにより、原稿トレイ３０上に積載された原稿束の原稿サイズが判別可能となる。また、搬送パス内に設けられた原稿長検知センサ（図示せず）により、搬送中の原稿の先端検知から後端検知までの搬送距離から原稿長を検出することも可能である。また、検知した原稿長と上記原稿幅検知センサとの組み合わせからも、原稿サイズが判別可能である。
【００２５】
（画像読取部２００の構成例）
画像読取部２００は、原稿台ガラス２０２上の原稿について、光学スキャナユニット２０９が図２の矢印に示す副走査方向に走査することで、原稿に記録された画像情報を光学的に読み取る。また、画像読取部２００は、ＡＤＦ１０００を制御し、原稿トレイ３０上の原稿を一枚ずつ読取位置へ原稿を搬送する。さらに、画像読取部２００は、光学スキャナユニット２０９をＡＤＦ１０００の大ローラ７の読取中心位置に来るように移動し、大ローラ７の読取位置で原稿を読み取る。ＡＤＦ１０００上の原稿、又は原稿台ガラス２０２上の原稿は、次の光学系で読み取られる。この光学系は、流し読みガラス２０１、原稿台ガラス２０２、ランプ２０３とミラー２０４を有するスキャナユニット２０９、ミラー２０５及び２０６、レンズ２０７、ＣＣＤセンサユニット２１０を備える。読み取られた画像情報を光電変換して、図２には図示しないコントローラ部に画像データとして入力する。また、白板２１９は、シェーディングによる白レベルの基準データを作成するための白板である。
【００２６】
本実施形態では、ＣＣＤセンサユニット２１０は、カラー画像読取用（ＲＧＢ）ＣＣＤ（３ラインセンサユニット）２１２、白黒画像読取用ＣＣＤ（１ラインセンサユニット）２１１で構成される。
【００２７】
図３は、本実施例の画像形成装置の構成を示すブロック図である。
【００２８】
ＡＤＦ１０００の制御ブロックは、中央演算処理部である制御手段（以下、ＣＰＵ）３００、リードオンリーメモリ（以下、ＲＯＭ）３０１、ランダムアクセスメモリ（以下、ＲＡＭ）３０２、出力ポート、及び、入力ポートを備えている。ＲＯＭ３０１には、制御用プログラムや固定パラメータが格納されており、ＲＡＭ３０２には、入力データや作業用データが格納されている。
【００２９】
出力ポートには、各種搬送用のローラを駆動するモータ３０３、ソレノイド３０６、クラッチ３０７が接続されており、入力ポートには、各種センサ３０４がそれぞれ接続されている。
【００３０】
ＣＰＵ３００は、バスラインを介して接続されたＲＯＭ３０１に格納された制御プログラムに従って紙搬送を制御する。ＣＰＵ３００は、画像読取部２００の中央演算処理部（ＣＰＵ）３２１と制御用通信線３５１を介してシリアル通信を行い、画像読取部２００との間で制御データの授受を行うようになっている。また、原稿画像データの先端の基準となる画先信号も制御用通信線３５１を通して画像読取部２００に通知される。
【００３１】
また、ＣＰＵ３００は、画像読取部２００のＣＰＵ３２１からの制御データに応じて、各種センサ３０４の値を画像読取部２００に通知する。
【００３２】
（画像読取部２００の制御ブロック）
画像読取部２００の制御ブロックにおいて、ＣＰＵ３２１は、画像読取部２００の制御をすべて行っている。ＣＰＵ３２１にはプログラムを格納するＲＯＭ３２２、ワーク領域を提供するＲＡＭ３２３が接続される。なお、ＲＡＭ３２３は不揮発性の記憶を行う領域も含むワーク領域を示している。
【００３３】
光学系モータドライブ部３２６は、光学系駆動モータを駆動させるためのドライバ回路である。画像読取部２００には、ランプ２０３、ＣＣＤセンサユニット２１０（表面画像用の白黒画像読取用ＣＣＤ２１１／表面画像用のカラー画像読取用ＣＣＤ２１２）が接続されている。ＣＰＵ３２１は、光学系モータドライバ部３２６を制御し、画像処理部３２５を介してＣＣＤセンサユニット２１０を制御することで画像読取処理を実施している。
【００３４】
紙搬送を実現するために、ＣＰＵ３２１はＡＤＦ１０００の紙搬送制御用のＣＰＵ３００に制御用通信線３５１を介して紙搬送制御についてのコマンドを送って指示する。指示されたＣＰＵ３００が、搬送パス上に設置されている各センサ３０４をモニタし、負荷である搬送用のモータ３０３、ソレノイド３０６、クラッチ３０７を駆動することで、紙搬送を実現している。このように、ＣＰＵ３２１はＡＤＦ１０００による紙搬送と、画像読取部２００による画像読取制御を行っている。３２４は紙間補正を行う紙間補正処理部である。
【００３５】
レンズ２０７でＣＣＤセンサユニット２１０（カラー画像読取用（ＲＧＢ）ＣＣＤ２１２、白黒画像読取用ＣＣＤ２１１のいずれか）上に結像された画像信号は、デジタル画像データに変換される。変換された画像データは、さらに画像処理部３２５でシェーディングをはじめとして、画像データ上のスジ画像等を検知して補正するための各種画像処理が実施されて、画像メモリ部３２９に書き込まれる。
【００３６】
画像メモリ部３２９に書き込まれたデータは順次、画像転送用クロック信号線を含むコントローラ・インタフェースの画像通信線３５３を通してコントローラ部４００へ送信される。さらに、原稿画像データの先端の基準となる画先信号は、ＣＰＵ３２１でタイミングを調整して、コントローラ・インタフェースの制御通信線３５２を通してコントローラ部４００へ通知される。ＡＤＦ１０００からの通信ラインで通知される画先信号についても、同様に画像読取部２００のＣＰＵ３２１でタイミングを調整して、コントローラ・インタフェースの制御通信線３５２を通してコントローラ部４００へ通知される。
【００３７】
ＣＰＵ３２１が制御バスライン上に接続された画像処理部３２５を制御する。さらに、ＣＰＵ３２１は、画像処理部３２５を介して制御用通信線３５４から制御信号をＣＣＤセンサユニット２１０に伝達することで、ＣＣＤセンサユニット２１０を制御する。ＣＣＤセンサユニット２１０で原稿画像を走査する過程で、カラー画像読取用ＣＣＤ２１２あるいは白黒画像読取用ＣＣＤ２１１により読み取られる。そして、読み取られた１ラインごとのアナログの画像信号が、画像転送用クロック信号線を含む画像データ通信線２１４あるいは２１５からＣＣＤ制御部２１３に出力される。
【００３８】
ＣＣＤ制御部２１３でアナログ信号がデジタル画像データに変換され、画像転送用クロック信号線を含む画像データ情報通信線３５５から画像メモリ部３２９を経由して、画像データ情報通信線３５３を通してコントローラ部４００へ送信される。
【００３９】
ＣＰＵ３２１は、コントローラ部４００の中央演算処理部（ＣＰＵ）４０１と制御用通信線３５３を介してシリアル通信を行い、コントローラ部４００との間で制御データの授受を行うようになっている。ＣＰＵ３２１は、コントローラ部４００の中央演算処理部（ＣＰＵ）４０１からの制御データに応じて、搬送中の原稿に対する形状異常の検知を行う。形状異常の検知では、原稿１枚毎に搬送開始前に計測した原稿Ｓの最上面との距離と搬送開始から一定時間（ｔ２）後に計測した原稿Ｓの最上面との距離の差を計算し、一定以上の差（ｄ１）がある場合に、原稿が形状異常であると判断する。そして、ＣＰＵ３２１は、判断結果はコントローラ部４００の中央演算処理部（ＣＰＵ）４０１に通知する。
【００４０】
（コントローラ部４００の制御ブロック）
画像処理用のコントローラ部４００は、ＡＤＦ１０００、画像読取部２００、画像形成部５００を含む画像形成装置１０００の全体を制御する装置である。コントローラ部４００は、ＣＰＵ４０１、画像処理回路４０２、スキャナＩＦ４０３、画像メモリ４０４、操作部４０５、ワーク領域を提供するＲＡＭ４０６、プログラムを格納するＲＯＭ４０７、プリンタＩＦ４０８、ＨＤＤ４０９を有している。
【００４１】
なお、ＲＡＭ４０６は不揮発性の記憶を行う領域も含むワーク領域を示している。ＲＯＭ４０７、ＨＤＤ４０９は、コンピュータ読取可能な記憶媒体の例である。
【００４２】
また、プログラムをＨＤＤ４０９からＲＡＭ４０６にロードしてＣＰＵ４０１で実行する構成でもよい。
【００４３】
画像データ情報通信線３５３を通じてコントローラ部４００へ送信された画像データは、スキャナＩ／Ｆ４０３を通じて、画像メモリ４０４に保存される。
【００４４】
画像処理回路４０２は、画像メモリ４０４上にある画像を、画像変換し、再度、画像メモリ４０４に戻す。画像処理回路４０２が行う画像変換処理には、３２画素×３２画素単位の画像を指定された角度で回転する回転処理、画像の解像度を変換する解像度変換処理がある。さらに、画像処理回路４０２が行う画像変換処理に画像を変倍する変倍処理、多値入力された画像をマトリクス演算、およびＬＵＴによりＹＵＶ画像をＬａｂ画像に変換する色空間変換処理がある。この色空間変換は３×８のマトリクス演算および、１次元ＬＵＴをもち、公知の下地とばしや裏写り防止を行うことができる。
【００４５】
なお、コントローラ部４００は、不図示のネットワークＩ／Ｆを有し、外部のＰＣと画像データや、その他のデータの送受信を行う。
【００４６】
（画像形成部５００の制御ブロック）
画像形成部５００は、記録紙（シート）を搬送し、その上に画像データを可視画像として印字して装置外に排紙する。画像形成部５００は、画像形成部５００を制御する制御部５０１と、複数種類の記録紙カセットを持つ給紙ユニット５０４と、画像データを記録紙に転写、定着させる機能を持つマーキングユニット５０３から構成されている。さらに印字された記録紙を機外へ出力する機能を持つ排紙ユニット５０２、パンチ処理、ソート処理を行うフィニッシャ部（フィニッシャユニット）５０５とで構成される。
【００４７】
制御部５０１は、マーキングユニット５０３で画像形成の準備が整った場合に、先端の基準となる画先信号をコントローラ・インタフェースの制御通信線３５６を通してコントローラ部４００へ送信する。
【００４８】
そして、マーキングユニット５０３は、コントローラ・インタフェースの画像通信線３５７を通して送られてきた画像データを記録紙に転写、定着させる。
【００４９】
以下、図４を参照して、図３に示した操作部４０５について説明する。ＬＣＤ（Ｌｉｑｕｉｄ  Ｃｒｙｓｔａｌ  Ｄｉｓｐｌａｙ）タッチパネル６００は、主なモード設定、状況表示を行うために用いられる。テンキー６０１は０〜９までの数値の入力を受け付ける。ＩＤキー６０２は、装置が部門管理されている場合に部門番号と暗証モードを入力する際に使用される。
【００５０】
リセットキー６０３は、設定されたモードをリセットするためのキーである。ガイドキー６０４は、各モードについての説明画面を表示するためのキーである。割り込みキー６０６は、割り込みコピーを行うためのキーである。
【００５１】
スタートキー６０７は、コピーやスキャンの実行指示を受け付けるためのキーである。ストップキー６０８は、実行中のジョブ（コピージョブやスキャンジョブ）を中止させるためのキーである。
【００５２】
ユーザモードキー６０５は、ユーザモード画面に入るためのキーであり、ユーザモード画面で、画像形成装置は、装置に関する各種の設定を受け付ける。
【００５３】
節電キー６０９は、画像形成装置を節電状態に移行させるためのキーであり、画像形成装置が節電状態にあるときに、再度選択されることで画像形成装置は節電状態から復帰する。
【００５４】
カウンタ確認キー６１０は、それまでに使用したコピー枚数の集計を表示するカウント画面がＬＣＤ上に表示される。
【００５５】
ＬＥＤ６１１はジョブの実行中、画像メモリへの画像蓄積中を示すものである。エラーＬＥＤ６１２は、ジャム、ドアオープン等装置がエラー状態にあることを示すものである。電源ＬＥＤ６１３は、装置のメインスイッチがＯＮになっていることを示すものである。
【００５６】
図５のコピー画面７００は、ＬＣＤタッチパネル６００に表示される画面である。基本的な設定として、カラー選択７５１、倍率７５２、用紙選択７５３を設定するためのボタンが図５の７００ように配置され、それらの設定状況が７５０に表示されている。基本的な設定以外の設定はその他の機能７５８を押下することによって選択可能である。ここでは図示しないがその他の機能７５７には、ページ印字やページ集約や製本など様々な機能が用意されている。また、原稿の紙厚設定も用意されている。それら機能の中でユーザが頻繁に使う機能については、コピー画面にショートカットボタンを作成可能となっている。ここでは、両面印刷を設定するための両面７５４、原稿の裏写り防止を設定する裏写り防止７５５を配置している。さらに印刷時の出力モードや、後処理を設定するための仕上げ７５６を配置している。
【００５７】
図５（ａ）の紙厚設定画面７７０は、原稿の紙厚（紙の厚さ）を設定させる画面の例である。図５（ｂ）の紙厚設定画面７７０は、原稿検知センサ２３が原稿を検知することに従って表示される。また、その他の機能７５７に用意されている紙厚設定を選択することでも、紙厚設定画面７７０を手動で表示することが出来る。紙厚設定画面７７０では、厚紙７７１、普通７７２、薄紙７７３が選択可能である。ここでは、厚紙７７１、普通７７２、薄紙７７３をボタンとして、表示する例を説明したが、各ボタンを１つのレコードとし、リスト表示してもよい。なお、ボタンやレコードはオブジェクトの例である。ユーザは紙厚を選択後、ＯＫキー７７４を押下することで、紙厚を設定する。設定された紙厚はＲＡＭ４０６に保存される。
【００５８】
図７はＲＡＭ４０６に保存されている設定値の一例を示した図である。装置設定８００は、装置全体で共通に利用する設定値を保存するエリアである。この一例として紙厚設定８０１がある。これ以外の装置設定は存在するが図示を省略する。コピー設定８１０は、コピー機能で利用する設定値を保存するエリアである。例として紙厚設定８１１、ページ印字８１２、ページ集約８１３、製本８１４、部数８１５等がある。これ以外のコピー設定もあるが図示を省略する。ＦＡＸ８０２は、ＦＡＸ機能で利用する設定値を保存するエリアである。例として紙厚設定８２１、解像度８２２、回線選択８２３等がある。これ以外のＦＡＸ設定もあるが図示を省略する。なお、コピーやＦＡＸ以外の機能に関しても設定値を保存するエリアがあるが、図示を省略する。
【００５９】
紙厚設定は装置設定８００とコピー設定８１０、ＦＡＸ設定８２０に存在するが、コピー画面７００を表示する際に、装置設定８００の紙厚設定値８０１からコピー設定８１０の紙厚設定８１１にデータが上書きされる。また、コピー画面７００上に表示された紙厚設定画面７７０で設定された紙厚の情報は装置設定８００の紙厚設定８０１およびコピー設定８１０の紙厚設定８１１の両方に保存される。同様にＦＡＸ画面７１０を表示する際に、装置設定８００の紙厚設定８０１からＦＡＸ設定８２０の紙厚設定８２１にデータが上書きされる。またＦＡＸ画面７２０上に表示された紙厚設定画面７７０で設定された紙厚の情報は装置設定８００の紙厚設定８０１およびＦＡＸ設定８２０の紙厚設定８２１の両方に保存される。
【００６０】
図６（ａ）の７８０にＬＣＤタッチパネル６００に表示するログイン画面の例を示す。テキストフィールド７８１はユーザ名を入力するためのフィールドである。テキストフィールド７８２はパスワードを入力するためのフィールドである。テキストフィールド７８３はログインを実行する際に選択されるボタンである。図示しないが、非接触式のＩＤカードをカードリーダにタッチすることでログインを実行するような構成を取ってもよい。その際には、図６（ａ）の画面の代わりに、カードのタッチを促すようなログイン画面を表示すればよい。
【００６１】
図６（ｂ）にログイン画面表示中に原稿の紙厚を設定させる紙厚設定画面７７０を表示した場合の例を示す。紙厚設定画面７７０は、図５のコピー画面７００の場合と同様、原稿検知センサ２３が原稿を検知することに従って表示される。
【００６２】
図６（ｃ）の７９０にＬＣＤタッチパネル６００に表示するホーム画面（機能選択画面）の例を示す。ログイン画面７８０にてログイン操作が行われると本画面が表示される。ホーム画面７９０には各種の機能選択ボタンが表示されている。ボタン７９１はコピー機能の選択ボタンである。ボタン７９１が選択されると、コピー画面７００が表示される。ボタン７９１が選択されるとコピー画面が表示される。ユーザは、コピー画面を介して、コピー機能の設定を行い、スタートキーを選択する。スタートキーが選択されると、実行指示がなされ、原稿のスキャンとスキャンされた原稿の画像の印刷が実行される。ボタン７９２はＦＡＸ機能の選択ボタンである。ボタン７９２が選択されると後述するＦＡＸ画面７１０が表示される。ボタン７９２が選択されるとＦＡＸ送信画面が表示される。ユーザは、ＦＡＸ送信画面を介して、ＦＡＸ送信機能の設定を行い、スタートキーを選択する。スタートキーが選択されると、実行指示がなされ、原稿のスキャンとスキャンされた原稿の画像のＦＡＸ送信が実行される。ボタン７９３はスキャン送信の選択ボタンである。ボタン７９３が選択されるとデータ送信画面が表示される。ユーザは、データ送信画面を介して、データ送信機能の設定を行い、スタートキーを選択する。スタートキーが選択されると、実行指示がなされ、原稿のスキャンとスキャンされた原稿の画像がメールに添付されて送信される。なお、データ送信機能はメール送信機能だけではなく、ＳＭＢやＦＴＰ等のファイル送信機能であってもよい。
【００６３】
図６（ｄ）にホーム画面表示中に原稿の紙厚を設定させる紙厚設定画面７７０を表示した場合の例を示す。紙厚設定画面７７０は、図５のコピー画面７００の場合と同様、原稿検知センサ２３が原稿を検知することに従って表示される。
【００６４】
（コピー画面に進む前に設定された紙厚をコピー画面に引き継いで利用する処理フロー）
次に、図８および図９を用いて、コピーなどの機能選択を行う前に原稿がＡＤＦ１０００に置かれた場合に、原稿の紙厚を設定させ、そこで設定された紙厚の情報を機能選択後に引き継いで利用し、スキャンを実行する場合の処理フローについて説明する。ここではスキャンを行う機能としてコピーを例にして説明するが、他の機能、例えばＦＡＸやデータ送信などにも適用可能である。なお、この一連の処理は、コントローラ部４００のＣＰＵ４１０が、ＲＯＭ４０７から読み出してＲＡＭ４０６に展開された制御プログラムを実行することで行われる。
【００６５】
はじめにＳ１０００で、ＣＰＵ４１０は、ＬＣＤタッチパネル６００に図６（ａ）で示したログイン画面７８０を表示させる。
【００６６】
次に、ＣＰＵ４１０は、Ｓ１００１でＡＤＦ１０００の原稿検知センサ２３の検出状態の変化があるかを判定し、原稿が「無し」から「有り」に変化したことが検出された場合はＳ１００２に処理を進める。
【００６７】
そして、ＣＰＵ４１０は、ＬＣＤタッチパネル６００に図５（ｂ）で示した紙厚設定画面７７０をログイン画面７８０の上に重ねてポップアップ表示させる。なお、Ｓ１００２では、ポップアップ表示ではなく、ログイン画面７８０上に厚紙ボタン７７１、普通ボタン７７２、薄紙ボタン７７３を表示するようにしてもよい。ここでＯＫキー７７４が選択された場合（Ｓ１００３の判定がＹｅｓ）、ＣＰＵ４１０は、その時点で選択されている紙厚の情報（厚紙／普通／薄紙）をＲＡＭ４０６の装置設定８００にある紙厚設定８０１に保存する（Ｓ１００４）。なお、この時、コピー画面７００表示中であれば、ＲＡＭ４０６のコピー設定８１０の紙厚設定８１１にも値を保存する（Ｓ１００４）。Ｓ１００４が終わると処理フローのＳ１００１に戻る。Ｓ１００３の判定で、ＯＫキーが選択されない間は紙厚設定画面７７０の表示を続ける。
【００６８】
Ｓ１００１の判定がＮｏの場合はＳ１００５に進み、ログイン操作の検出判定を行う。ログイン操作が検出された場合はＳ１００６に進み、ＣＰＵ４１０は、ＬＣＤタッチパネル６００に図６で示したホーム画面７９０をＬＣＤタッチパネル６００に表示させて、処理フローのＳ１００１に戻る。
【００６９】
Ｓ１００５でログイン操作が検出されなかった場合、ＣＰＵ４１０は、Ｓ１００７に処理を進め、コピー機能選択ボタン７９１が選択されたか否かを判定する。なお、コピー機能選択ボタン７９１はホーム画面７９０にのみ表示され、選択可能になるボタンであるため、ホーム画面７９０が表示されていない場合、このＳ１００７の判定は常にＮｏになる。Ｓ１００７の判定がＹｅｓであった場合はＳ１００８に処理を進め、ＣＰＵ４１０は、ＬＣＤタッチパネル６００にコピー画面７００を表示させて、Ｓ１００１に処理を進める。
【００７０】
Ｓ１００７の判定がＮｏであった場合はＳ１００９に進み、ＣＰＵ４１０は、リセットキー６０３が選択されたか否かを判定する。リセットキーが選択されたことが検出された場合はＳ１０１１に進み、ＣＰＵ４１０は、ＲＡＭ４０６に保存されている装置設定８００の紙厚情報８０１の初期化を行う。さらに、Ｓ１０１２でＬＣＤタッチパネル６００にコピー画面７００が表示中か否かを判定し、表示中であればＳ１０１３でＲＡＭ４０６に保存されているコピー設定８１０の初期化を行ったうえでＳ１００１に戻る。Ｓ１０１２でコピー画面７００表示中でないと判定された場合、ＣＰＵ４１０は、コピー設定８１０の初期化は行わずにＳ１００１に処理を進める。
【００７１】
Ｓ１００９でリセットキーの選択が検出されなかった場合、ＣＰＵ４１０は、Ｓ１０１０に処理を進め、オートクリアのタイムアップ検出判定を行う。オートクリアタイムがタイムアップしていた場合はＳ１０１１に進み、ＣＰＵ４１０は、ＲＡＭ４０６に保存されている装置設定８００の紙厚設定８０１の初期化を行い、Ｓ１０１２に進む。
【００７２】
Ｓ１０１０でオートクリアタイムのタイムアップが検出されなかった場合はＳ１０１４のスタートキー６０７の選択検出判定を行う。スタートキー６０７の選択が検出されなければ、ＣＰＵ４１０は、Ｓ１００１に処理を進め、検出されるとＳ１０１５に進みＬＣＤタッチパネル６００にコピー画面７００が表示されているか否かの判定を行う。コピー画面７００が表示中でなければ、ＣＰＵ４１０は、Ｓ１００１に処理を進め、表示中と判定された場合はＳ１０１６に処理を進める。Ｓ１０１６で、ＣＰＵ４１０は、ＡＤＦ１０００の原稿検知センサ２３からの信号によりＡＤＦ１０００の原稿トレイ３０に原稿があるか否かを判定する。ＡＤＦ１０００に原稿があると判定された場合はＳ１０１７に進み、ＲＡＭ４０６に保存されているコピー設定８１０の紙厚情報８１１を用いてＡＤＦ１０００スキャンを実行する。Ｓ１０１７の詳細は図９で後述する。
【００７３】
Ｓ１０１６でＡＤＦ１０００の原稿トレイ３０に原稿がないと判定された場合、ＣＰＵ４１０は、Ｓ１０１８に処理を進め、原稿台ガラス２０２上のスキャンが実行される。なお、この時のスキャンは原稿の搬送を行わず、原稿のジャムが発生しえないため、ＣＰＵ４１０は、ＲＡＭ４０６に保存されている紙厚情報８１１を参照しない。
【００７４】
スキャンが終わるとＳ１０１９に進み、プリンタＩＦ４０８を利用してコピープリントが実行される。プリントが終わるとＳ１０２０にて、ＲＡＭ４０６に保存されている紙厚設定８０１およびコピー設定８１０を初期化して、本処理フローを終了する。
【００７５】
次に本実施例におけるＳ１０１７のＡＤＦスキャンの処理の詳細について図９のフローチャートを用いて説明する。図９の処理は、画像読取部２００のＣＰＵ３２１が、ＣＰＵ４１０からのスキャンの実行指示で、ＲＯＭ３２２から読み出してＲＡＭ３２３に展開された制御プログラムを実行することで行われる。ＣＰＵ３２１は、コントローラ部４００のＣＰＵ４０１からの原稿読み取り開始の指示を受けて、Ｓ１１００でコピー設定８１０の紙厚設定８１１の値を判定する。ＣＰＵ３２１は、Ｓ１１００で判定した紙厚が普通の場合は、Ｓ１１０２に進み原稿給紙を開始するよう制御する。ＣＰＵ３２１は、Ｓ１１００で判定した紙厚が厚紙または薄紙の場合は、Ｓ１１０１に進み原稿搬送速度を低速にするように自動原稿給紙部１００のＣＰＵ３００に通知する。
【００７６】
原稿搬送速度を低速にする通知を受けたＣＰＵ３００は、搬送ローラ３、レジストローラ４、搬送ローラ５、搬送ローラ６、大ローラ７、排紙ローラ８のそれぞれを駆動するモータの回転数を下げ、通常の搬送速度よりも遅い速度になるように制御する。例えば、通常の搬送速度の半分の搬送速度になるように制御する。それによって、原稿が厚紙の場合には、搬送パスの湾曲部でトルク不足を解消することができ、厚紙の原稿が搬送パスの湾曲部でジャムになることを抑制することができる。一方、低速の場合の搬送速度は、排紙された薄紙原稿が十分に落ち切ってから次の原稿が排紙されるようになる。このようにすることで、排紙部での積載性が向上し、薄紙の原稿が排紙部近傍でジャムになることを抑制することができる。
【００７７】
ＣＰＵ３２１は、Ｓ１１０１の後、Ｓ１１０２に進み、原稿給紙を開始し、Ｓ１１０３に進む。Ｓ１１０３でＣＰＵ３２１は、画像データの読み取りを行い、Ｓ１１０４に進む。読み取った画像データは、画像データ情報通信線３５３を通じてコントローラ部４００へ送信され、スキャナＩＦ４０３を通じて、画像メモリ４０４に保存される。
【００７８】
Ｓ１１０４で、ＣＰＵ４０１は、画像メモリ４０４に保存された画像データに対して画像処理を実行する。Ｓ１１０５で、ＣＰＵ３２１は、原稿トレイ３０に原稿がないかを判定し、原稿がある場合は、Ｓ１１０２に処理を進め、原稿がない場合は、本フローチャートの処理を終了する。
【００７９】
本実施例１に従えば、ユーザが機能選択前、つまりログイン画面７８０やホーム画面７９０の表示中に原稿をＡＤＦに置いた場合でも紙厚の設定ができ、その設定が機能の選択後に引き継がれて利用される。そのため設定漏れを防止することができる。また、ユーザが紙をＡＤＦに置いたタイミングで紙厚の設定ができるため、ユーザビリティの観点でも使い勝手がよくなる。
【００８０】
なお、本実施例１では、ログイン画面７８０やホーム画面７９０表示中に設定された紙厚設定８０１をコピー機能で利用する紙厚設定８１１に引き継いだ。しかしながらこれに限らず、コピー画面７００で設定された値を図１０のＦＡＸ画面７２０やデータ送信機能（メール送信機能や、ＳＭＢ、ＦＴＰ等のファイル送信機能）に引き継いでも良い。具体的には、コピー画面７００表示中に表示された紙厚設定画面７７０にて設定された紙厚の情報をＲＡＭ４０６のコピー設定８１０の紙厚設定８１１だけでなく装置設定８００の紙厚設定８０１にも保存しておく。（ここで、紙厚設定画面７７０はその他の機能７５７から手動で表示することもできるし、ＡＤＦ１０００の原稿検知により自動表示することもできる。）そして、ＦＡＸ画面８２０に遷移する際に、装置設定８００の紙厚設定８０１からＦＡＸ設定８２０の紙厚設定８２１に値を上書きし、ＦＡＸ機能でその値を使ってスキャンが実行できるようなる。データ送信機能に遷移する際にも、同様に、データ送信機能でその紙厚設定を使ってスキャンが実行できるようになる。
【００８１】
この逆で、ＦＡＸ画面７２０やデータ送信機能で設定された値をコピー画面７００に引き継いでも良い。具体的には、ＦＡＸ画面７２０表示中に表示された紙厚設定画面７７０にて設定された紙厚の情報をＲＡＭ４０６のＦＡＸ設定８２０の紙厚８２１だけでなく装置設定８００の紙厚設定８０１にも保存しておく。（ここで、紙厚設定画面７７０はその他の機能７２１から手動で表示することもできるし、ＡＤＦ１０００の原稿検知により自動表示することもできる。）そしてコピー画面７００に遷移する際に、装置設定８００の紙厚設定８０１からコピー設定８１０の紙厚設定８１１に値を上書きし、コピー機能でその値を使ってスキャンが実行できるようにするという方法である。データ送信機能の画面からコピー機能の画面に遷移する際にも、同様に、コピー機能でその紙厚設定を使ってスキャンが実行できるようになる。
【００８２】
（実施例２）
次に、図１１を用いて、コピーなどの機能選択を行う前に原稿がＡＤＦ１０００に置かれた場合に、そこでは紙厚設定画面７７０は表示させずに、コピー画面７００に遷移した際に紙厚設定画面７７０を表示させる場合の処理フローについて説明する。ここではスキャンを行う機能としてコピーを例にして説明するが、他の機能、例えばＦＡＸやスキャン送信などにも適用可能である。なお、この一連の処理は、コントローラ部４００のＣＰＵ４１０が、ＲＯＭ４０７から読み出してＲＡＭ４０６に展開された制御プログラムを実行することで行われる。
【００８３】
はじめに、Ｓ２０００で、ＣＰＵ４１０は、紙厚設定済みフラグをＯＦＦで初期化する。そして、ＣＰＵ４１０は、ＬＣＤタッチパネル６００に図６で示したログイン画面７８０を表示させる。
【００８４】
次に、ＣＰＵ４１０は、Ｓ２００１でＡＤＦ１０００の原稿検知センサ２３の検出状態の変化があるかを判定し、原稿が「無し」から「有り」に変化したことが検出された場合はＳ２００２に処理を進める。
【００８５】
Ｓ２００２で、ＣＰＵ４１０は、ＬＣＤタッチパネル６００に表示中の画面がコピー画面７００か否かを判定し、判定がＮｏの場合はＳ２００１に処理を進める。Ｓ２００２の判定がＹｅｓの場合はＳ２００３に処理を進め、ＣＰＵ４１０は、ＬＣＤタッチパネル６００に紙厚設定画面７７０を表示させる。ここでＯＫキー７７４が選択された場合（Ｓ２００４の判定がＹｅｓ）、ＣＰＵ４１０は、Ｓ２００５に処理を進める。Ｓ２００５で、ＣＰＵ４１０は、その時点で選択されている紙厚の情報（厚紙／普通／薄紙）をＲＡＭ４０６のコピー設定８１０の紙厚設定８１１および装置設定８００の紙厚設定８０１に保存する。そして、ＣＰＵ４１０は、紙厚設定済フラグをＯＮに変更する。Ｓ２００５の処理が終わると処理フローのＳ２００１に戻る。Ｓ２００４の判定でＯＫキーが選択されない間は、ＣＰＵ４１０は、紙厚設定画面７７０の表示を続けさせる。
【００８６】
Ｓ２００１の判定がＮｏの場合はＳ２００６に進み、ＣＰＵ４１０は、ログイン操作を検出したか否かを判定する。ログイン操作が検出された場合、ＣＰＵ４１０は、Ｓ２００７に処理を進め、ＬＣＤタッチパネル６００に図６で示したホーム画面７９０を表示させて、処理フローのＳ２００１に処理を進める。
【００８７】
Ｓ２００６でログイン操作が検出されなかった場合、ＣＰＵ４１０は、Ｓ２００８に処理を進め、コピー機能選択ボタン７９１が選択されたか否かを判定する。なお、コピー機能選択ボタン７９１はホーム画面７９０にのみ表示され、選択可能になるボタンであるため、ホーム画面７９０が表示されていない場合、このＳ２００８の判定は常にＮｏになる。Ｓ２００８の判定がＹｅｓであった場合はＳ２００９に進み、ＡＤＦ１０００の原稿検知センサ２３の値により原稿の有無を判定する。原稿がない場合、かつ紙厚設定済フラグがＯＦＦの場合はＳ２０１３に進み、ＣＰＵ４１０は、ＬＣＤタッチパネル６００にコピー画面７００を表示させる。それ以外の場合（Ｓ２００９の判定がＮｏ）は、ＣＰＵ４１０は、ＬＣＤタッチパネル６００にＳ２０１０で紙厚設定画面７７０を表示させる。ここで、ＯＫキー７７４が選択された場合は（Ｓ２０１１の判定がＹｅｓ）その時点で選択されている紙厚の情報（厚紙／普通／薄紙）をＲＡＭ４０６のコピー設定８１０の紙厚設定８１１および装置設定８００の紙厚設定８０１に保存する（Ｓ２０１２）。そして紙厚設定済フラグをＯＮに変更する。Ｓ２０１１でＯＫキーが選択されない間は紙厚設定画面７７０の表示を続ける。Ｓ２０１２の処理が終わるとＳ２０１３に進む。
【００８８】
Ｓ２００８の判定がＮｏであった場合、Ｓ２０１４に進み、ＣＰＵ４１０は、リセットキー６０３の選択判定を行う。リセットキーが選択されたことが検出された場合、ＣＰＵ４１０は、Ｓ２０１６に処理を進め、ＲＡＭ４０６に保存されている装置設定８００の紙厚情報８０１の初期化を行う。そして、ＣＰＵ４１０は、紙厚設定済フラグをＯＦＦで初期化する。次にＳ２００７で、ＣＰＵ４１０は、ＬＣＤタッチパネル６００にコピー画面７００を表示中か否かを判定する。表示中であればＳ２０１８に進み、ＣＰＵ４１０は、ＲＡＭ４０６に保存されているコピー設定８１０の初期化を行い、処理フローのＳ２００１に処理を進める。Ｓ２０１７の判定がＮｏの場合、ＣＰＵ４１０は、Ｓ２００１に処理を進める。
【００８９】
Ｓ２０１４でリセットキーの選択が検出されなかった場合、ＣＰＵ４１０は、Ｓ２０１５に処理を進め、オートクリアタイムのタイムアップ検出判定を行う。オートクリアタイムがタイムアップしていた場合、ＣＰＵ４１０は、Ｓ２０１６に処理を進める。
【００９０】
Ｓ２０１５でオートクリアタイムのタイムアップが検出されなかった場合、ＣＰＵ４１０は、Ｓ２０１９に処理を進め、スタートキー６０７の選択検出判定を行う。スタートキー６０７の選択が犬種移されなければ、ＣＰＵ４１０は、Ｓ２００１に処理を進め、検出されるとＳ２０２０に処理を進める。Ｓ２０２０で、ＣＰＵ４１０は、ＬＣＤタッチパネル６００にコピー画面７００が表示されているか否かの判定を行う。コピー画面７００が表示中でなければ、ＣＰＵ４１０は、Ｓ２００１に処理を進め、表示中と判定された場合、ＣＰＵ４１０は、Ｓ２０２１に処理を進める。Ｓ２０２１で、ＣＰＵ４１０は、ＡＤＦ１０００の原稿検知センサ２３からの信号によりＡＤＦ１０００の原稿トレイ３０に原稿があるか否かを判定する。ＡＤＦ１０００に原稿があると判定された場合、ＣＰＵ４１０は、Ｓ２０２２に処理を進め、ＲＡＭ４０６に保存されているコピー設定８１０の紙厚情報８１１を用いてＡＤＦ１０００を用いたスキャンを制御する。Ｓ２０２２の詳細は図９で示したフローと同じである。
【００９１】
Ｓ２０２１でＡＤＦ１０００の原稿トレイ３００に原稿がないと判定された場合、ＣＰＵ４１０は、Ｓ２０２３に処理を進め、原稿台ガラス２０２上のスキャンが実行される。なお、この原稿は搬送されず、原稿のジャムなどが発生しないため、ＲＡＭ４０６に保存されている紙厚情報８１１を利用する必要はない。
【００９２】
スキャン実行が終わると、ＣＰＵ４１０はＳ２０２４に処理を進め、プリンタＩ／Ｆ４０８を利用してコピーが実行される。プリントが終わるとＳ２０２５にて、ＣＰＵ４１０は、ＲＡＭ４０６に保存されている紙厚設定８０１およびコピー設定８１０を初期化し、紙厚設定済フラグもＯＦＦに初期化して、本処理フローを終了する。
【００９３】
本実施例２によれば、ユーザが機能を選択する前、つまりログイン前やメニュー画面表示中に原稿をＡＤＦに置いた場合でも、原稿の紙厚を適切に設定することができる。
【００９４】
（その他の実施形態）
なお、上述した実施形態では、原稿の紙厚を、厚紙、普通紙、薄紙の３つから選択する例を説明したが、選択肢の数は２でもよいし、４以上でもよい。また、原稿の紙厚を坪量をユーザに入力させることで設定するようにしてもよい。その場合、画像形成装置は、予め設定された第１の閾値以上の坪量がユーザによって入力されたら原稿が厚紙であると判定し、予め設定された第２の閾値未満の坪量がユーザによって入力されたら原稿が薄紙であると判定すればよい。また、画像形成装置は、第１の閾値未満で且つ第２の閾値以上の坪量がユーザによって入力されたら原稿が普通紙であると判定して、上述した実施例の制御を行えばよい。
【００９５】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９６】
４０１  ＣＰＵ
４０５  操作部
４０６  ＲＡＭ
【図１】
2020108036.tif 000003
【図２】
2020108036.tif 000004
【図３】
2020108036.tif 000005
【図４】
2020108036.tif 000006
【図５】
2020108036.tif 000007
【図６】
2020108036.tif 000008
【図７】
2020108036.tif 000009
【図８】
2020108036.tif 000010
【図９】
2020108036.tif 000011
【図１０】
2020108036.tif 000012
【図１１】
2020108036.tif 000013